(57)【要約】【課題】高輝度化を図った場合でも、構造が複雑で大型化するのを抑制することができるバックライト装置、及びこれを用いた表示装置、並びにテレビ受信装置を提供する。【解決手段】光を入光する入光部７ａが一つの側面部に形成された導光板７と、入光部７ａに対して、互いに独立して、光を発光する発光ダイオード（第１の光源）５ａ及び発光ダイオード（第２の光源）５ｂと、発光ダイオード５ａ及び５ｂがそれぞれ実装された第１の実装面６ａ及び第２の実装面６ｂを備える。また、第１の実装面６ａ及び第２の実装面６ｂは、互いに異なる方向に対向するように設けられ、かつ、連続的に構成されている。【選択図】図２
2013218922.tif 000002
【特許請求の範囲】
【請求項１】
光を入光する入光部が一つの側面部に形成された導光板と、
前記導光板の前記入光部に対して、光を発光する第１の光源と、
前記導光板の前記入光部に対して、前記第１の光源とは互いに独立して光を発光する第２の光源と、
前記第１の光源が実装された第１の実装面と、
前記第２の光源が実装された第２の実装面を備え、
前記第１の実装面及び前記第２の実装面は、互いに異なる方向に対向するように設けられ、かつ、連続的に構成されている、
ことを特徴とするバックライト装置。
【請求項２】
前記導光板の前記入光部には、前記第１の光源からの光を入光する第１の入光面と、
当該入光部において、前記第１の入光面とは異なる位置に設けられるとともに、前記第１の光源及び前記第２の光源のうち、少なくとも前記第２の光源からの光を入光する第２の入光面とが設けられている請求項１に記載のバックライト装置。
【請求項３】
前記第１の光源及び前記第２の光源の一方は、前記導光板の前記入光部の中央部のみに対して、光を発光するように、設けられている請求項１または２に記載のバックライト装置。
【請求項４】
前記第１の光源及び前記第２の光源の一方は、前記導光板の前記入光部の両端部のみに対して、光を発光するように、設けられている請求項１または２に記載のバックライト装置。
【請求項５】
前記第１の光源と、前記第２の光源とでは、互いに異なる色度を有する光を発光する請求項１〜４のいずれか１項に記載のバックライト装置。
【請求項６】
前記第１の実装面には、複数の前記第１の光源が前記導光板の前記入光部の一端部側から他端部側への方向で直線状に配置され、
前記第２の実装面には、複数の前記第２の光源が前記方向で直線状に配置されるとともに、前記第２の光源が前記方向で前記第１の光源と交互となるように配置されている請求項１〜５のいずれか１項に記載のバックライト装置。
【請求項７】
前記第１の実装面及び前記第２の実装面は、互いに直交するように、構成されている請求項１〜６のいずれか１項に記載のバックライト装置。
【請求項８】
前記第１の光源及び前記第２の光源の一方として、その発光面が前記第１の実装面または前記第２の実装面と平行となるように設けられたトップビュータイプの発光ダイオードが用いられ、
前記第１の光源及び前記第２の光源の他方として、その発光面が前記第１の実装面または前記第２の実装面と直交するように設けられたサイドビュータイプの発光ダイオードが用いられている請求項１〜７のいずれか１項に記載のバックライト装置。
【請求項９】
前記第１の実装面と前記第２の実装面とは、一つのフレキシブルプリント基板に形成されている請求項１〜８のいずれか１項に記載のバックライト装置。
【請求項１０】
請求項１〜９のいずれか１項に記載のバックライト装置を用いたことを特徴とする表示装置。
【請求項１１】
請求項１０に記載の表示装置を備えることを特徴とするテレビ受信装置。
【発明の詳細な説明】
【技術分野】
【０００１】
本発明は、バックライト装置、特に導光板を使用したバックライト装置、及びこれを用いた表示装置、並びにテレビ受信装置に関する。
【背景技術】
【０００２】
近年、例えば家庭用のテレビ受信装置では、液晶表示装置に代表されるように、在来のブラウン管に比べ薄型、軽量等の多くの特長を有するフラットな表示部としての液晶パネルを備えた表示装置が主流になりつつある。このような液晶表示装置には、光を発光するバックライト装置（バックライト）と、バックライト装置に設けられた光源からの光に対してシャッターの役割を果たすことで、所望画像を表示する液晶パネルとが設けられている。そして、テレビ受信装置では、テレビ放送の映像信号に含まれた文字、画像等の情報を液晶パネルの表示面上に表示するようになっている。
【０００３】
また、上記バックライト装置では、光の被照射物としての液晶パネルに対する光源の配置の仕方により直下型とエッジライト型に大別されるが、液晶表示装置では、昨今、直下型に比べ薄型化を図り易いエッジライト型が一般的に使用されている。すなわち、エッジライト型のバックライト装置では、光源を液晶パネルの側方に配置することにて薄型化が図られており、液晶パネルの非表示面に対向配置される発光面を備えた導光板を用いて光源からの光を当該液晶パネルに与えるようになっている。
【０００４】
また、従来のバックライト装置には、例えば下記特許文献１に記載されているように、断面楔形状の上記導光板の入光面に対して、光源としての発光ダイオードを複数、所定の配列方向に沿って設けることが提案されている。また、この従来のバックライト装置では、複数の発光ダイオードにおいて、隣接する２つの発光ダイオードのピッチを変更することにより、導光板の発光面（つまり、バックライト装置の発光面）での輝度分布を変更できることが示されている。すなわち、この従来のバックライト装置では、例えば上記配列方向の中心部近傍の発光ダイオードのピッチを小さくし、同配列方向の端部の発光ダイオードのピッチを大きくすることにより、発光面の中心部の輝度を向上することが可能とされていた。
【先行技術文献】
【特許文献】
【０００５】
【特許文献１】特開２００２−７５０３８号公報
【発明の概要】
【発明が解決しようとする課題】
【０００６】
しかしながら、上記のような従来のバックライト装置では、高輝度化を図った場合に、当該バックライト装置の構造が複雑で大型化するという問題点を生じた。
【０００７】
具体的にいえば、従来のバックライト装置では、複数の発光ダイオードがプリント回路基板やフレキシブルプリント基板などのＬＥＤ基板に実装されて、導光板の入光面に対向して配置されていた。また、上記のようなＬＥＤ基板に実装できる発光ダイオードの設置数はバックライト装置の大きさ、及び／または発光ダイオードの仕様などによって制限されるため、従来のバックライト装置では、その高輝度化を図った場合、例えば二つのＬＥＤ基板を用意して、これらの各ＬＥＤ基板に発光ダイオードを実装するとともに、導光板の互いに対向する二つの側面を入光面として、上記二つのＬＥＤ基板をそれぞれ対向して配置していた。この結果、従来のバックライト装置では、その構造が複雑で大型化するのを抑制することができなかった。
【０００８】
上記の課題を鑑み、本発明は、高輝度化を図った場合でも、構造が複雑で大型化するのを抑制することができるバックライト装置、及びこれを用いた表示装置、並びにテレビ受信装置を提供することを目的とする。
【課題を解決するための手段】
【０００９】
上記の目的を達成するために、本発明にかかるバックライト装置は、光を入光する入光部が一つの側面部に形成された導光板と、
前記導光板の前記入光部に対して、光を発光する第１の光源と、
前記導光板の前記入光部に対して、前記第１の光源とは互いに独立して光を発光する第２の光源と、
前記第１の光源が実装された第１の実装面と、
前記第２の光源が実装された第２の実装面を備え、
前記第１の実装面及び前記第２の実装面は、互いに異なる方向に対向するように設けられ、かつ、連続的に構成されていることを特徴とするものである。
【００１０】
上記のように構成されたバックライト装置では、導光板の一つの側面部に形成された入光部に対して、互いに独立して光を発光する第１の光源及び第２の光源が設けられている。また、これら第１の光源及び第２の光源は、それぞれ第１の実装面及び第２の実装面に実装されている。また、これら第１の実装面及び第２の実装面は、互いに異なる方向に対向するように設けられ、かつ、連続的に構成されている。これにより、上記従来例と異なり、高輝度化を図った場合でも、構造が複雑で大型化するのを抑制することができるバックライト装置を構成することができる。
【００１１】
また、上記バックライト装置において、前記導光板の前記入光部には、前記第１の光源からの光を入光する第１の入光面と、
当該入光部において、前記第１の入光面とは異なる位置に設けられるとともに、前記第１の光源及び前記第２の光源のうち、少なくとも前記第２の光源からの光を入光する第２の入光面とが設けられていることが好ましい。
【００１２】
この場合、導光板の入光部において、第１の光源及び第２の光源からの各光を効率よく入光させることができ、高輝度化を容易に図ることができる。
【００１３】
また、上記バックライト装置において、前記第１の光源及び前記第２の光源の一方は、前記導光板の前記入光部の中央部のみに対して、光を発光するように、設けられてもよい。
【００１４】
この場合、バックライト装置の正面輝度を確実に向上させることができる。
【００１５】
また、上記バックライト装置において、前記第１の光源及び前記第２の光源の一方は、前記導光板の前記入光部の両端部のみに対して、光を発光するように、設けられてもよい。
【００１６】
この場合、バックライト装置の輝度分布を確実に改善させることができる。
【００１７】
また、上記バックライト装置において、前記第１の光源と、前記第２の光源とでは、互いに異なる色度を有する光を発光してもよい。
【００１８】
この場合、広範囲な色度調整を容易に行うことができる。
【００１９】
また、上記バックライト装置において、前記第１の実装面には、複数の前記第１の光源が前記導光板の前記入光部の一端部側から他端部側への方向で直線状に配置され、
前記第２の実装面には、複数の前記第２の光源が前記方向で直線状に配置されるとともに、前記第２の光源が前記方向で前記第１の光源と交互となるように配置されていることが好ましい。
【００２０】
この場合、第１の実装面及び第２の実装面を互いに直交するように構成したときでも、第１の光源と第２の光源とが互いに接触するのを防ぐことが可能となり、入光部と平行な方向における、第１の実装面及び第２の実装面の寸法を小さくすることができる。
【００２１】
また、上記バックライト装置において、前記第１の実装面及び前記第２の実装面は、互いに直交するように、構成されていることが好ましい。
【００２２】
この場合、バックライト装置のコンパクト化を容易に図ることができる。
【００２３】
また、上記バックライト装置において、前記第１の光源及び前記第２の光源の一方として、その発光面が前記第１の実装面または前記第２の実装面と平行となるように設けられたトップビュータイプの発光ダイオードが用いられ、
前記第１の光源及び前記第２の光源の他方として、その発光面が前記第１の実装面または前記第２の実装面と直交するように設けられたサイドビュータイプの発光ダイオードが用いられていることが好ましい
この場合、消費電力が少なく、優れた環境性をもつバックライト装置を容易に構成することができる。
【００２４】
また、上記バックライト装置において、前記第１の実装面と前記第２の実装面とは、一つのフレキシブルプリント基板に形成されていることが好ましい。
【００２５】
この場合、第１の実装面及び第２の実装面を容易に構成することができ、構造簡単なバックライト装置をも容易に構成することができる。
【００２６】
また、本発明の表示装置は、上記いずれかのバックライト装置を用いたことを特徴とするものである。
【００２７】
また、本発明のテレビ受信装置では、上記表示装置を用いたことを特徴とするものである。
【００２８】
上記のように構成された表示装置及びテレビ受信装置では、高輝度化を図った場合でも、構造が複雑で大型化するのを抑制することができるバックライト装置が用いられているので、構造簡単でコンパクト化された高輝度な表示装置及びテレビ受信装置を容易に構成することができる。
【発明の効果】
【００２９】
本発明によれば、高輝度化を図った場合でも、構造が複雑で大型化するのを抑制することができるバックライト装置、及びこれを用いた表示装置、並びにテレビ受信装置を提供することが可能となる。
【図面の簡単な説明】
【００３０】
【図１】図１は、本発明の第１の実施形態にかかるテレビ受信装置及び液晶表示装置を説明する分解斜視図である。
【図２】図２は、上記液晶表示装置の要部構成を説明する図である。
【図３】図３は、図２に示した液晶パネルの構成を説明する図である。
【図４】図４は、上記液晶パネルに設けられたソースドライバ及びゲートドライバを説明する図である。
【図５】図５は、図２に示したバックライト装置の要部構成を説明する図であり、図５（ａ）は、フレキシブルプリント基板とこのフレキシブルプリント基板に実装された発光ダイオードを示す平面図であり、図５（ｂ）は、折り曲げられた状態のフレキシブルプリント基板と発光ダイオードを示す側面図である。
【図６】図６は、上記発光ダイオードの回路構成の一例を示す回路図である。
【図７】図７は、上記発光ダイオードの回路構成の別の例を示す回路図である。
【図８】図８は、本発明の第２の実施形態にかかる液晶表示装置の要部構成を説明する図である。
【図９】図９は、本発明の第３の実施形態にかかる液晶表示装置の要部構成を説明する図である。
【図１０】図１０は、図９に示したバックライト装置の要部構成を説明する図であり、図１０（ａ）は、フレキシブルプリント基板とこのフレキシブルプリント基板に実装された発光ダイオードを示す平面図であり、図１０（ｂ）は、折り曲げられた状態のフレキシブルプリント基板と発光ダイオードを示す側面図である。
【図１１】図１１は、本発明の第４の実施形態にかかる液晶表示装置の要部構成を説明する図である。
【図１２】図１２は、図１１に示したバックライト装置の要部構成を説明する図であり、図１２（ａ）は、フレキシブルプリント基板とこのフレキシブルプリント基板に実装された発光ダイオードを示す平面図であり、図１２（ｂ）は、折り曲げられた状態のフレキシブルプリント基板と発光ダイオードを示す側面図である。
【図１３】図１３は、本発明の第５の実施形態にかかる液晶表示装置の要部構成を説明する図である。
【図１４】図１４は、図１３に示したバックライト装置の要部構成を説明する図であり、図１４（ａ）は、フレキシブルプリント基板とこのフレキシブルプリント基板に実装された発光ダイオードを示す平面図であり、図１４（ｂ）は、折り曲げられた状態のフレキシブルプリント基板と発光ダイオードを示す側面図である。
【図１５】図１５は、本発明の第６の実施形態にかかる液晶表示装置の要部構成を説明する図である。
【図１６】図１６は、図１５に示したバックライト装置の要部構成を説明する図であり、図１６（ａ）は、フレキシブルプリント基板とこのフレキシブルプリント基板に実装された発光ダイオードを示す平面図であり、図１６（ｂ）は、折り曲げられた状態のフレキシブルプリント基板と発光ダイオードを示す側面図である。
【発明を実施するための形態】
【００３１】
以下、本発明のバックライト装置、表示装置、及びテレビ受信装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００３２】
［第１の実施形態］
図１は、本発明の第１の実施形態にかかるテレビ受信装置及び液晶表示装置を説明する分解斜視図である。図において、本実施形態のテレビ受信装置Ｔｖは、表示装置としての液晶表示装置１を備えており、アンテナやケーブル（図示せず）などによりテレビ放送を受信可能に構成されている。液晶表示装置１は、表キャビネットＣａ及び裏キャビネットＣｂに収納された状態で、スタンドＤによって立設されるようになっている。また、テレビ受信装置Ｔｖでは、液晶表示装置１の表示面１ａが表キャビネットＣａを介在させて視認可能に構成されている。この表示面１ａは、スタンドＤにより、重力の作用方向（鉛直方向）に平行となるように設置されている。
【００３３】
また、テレビ受信装置Ｔｖでは、図示を省略したＴＶチューナー部で受信されたテレビ放送の映像信号に応じた画像が表示面１ａ上に表示されるとともに、表キャビネットＣａに設けられたスピーカＣａ１から音声が再生出力される。なお、裏キャビネットＣｂには、多数の通気孔が形成されており、バックライト装置や電源等で発生した熱を適切に放熱できるようになっている。
【００３４】
続いて、図２を参照して、本実施形態の液晶表示装置１について具体的に説明する。
【００３５】
図２は、上記液晶表示装置の要部構成を説明する図である。
【００３６】
図２において、本実施形態の液晶表示装置１は、図２の上側が視認側（表示面側）として設置される液晶パネル２と、液晶パネル２の非表示面側（図２の下側）に配置されて、当該液晶パネル２を照明する照明光を発生する本発明のバックライト装置３とが設けられている。また、液晶表示装置１では、断面Ｌ字状のベゼル４の内部で、液晶パネル２とバックライト装置３とが互いに組み付けられており、当該バックライト装置３からの照明光が液晶パネル２に入射される透過型の液晶表示装置１として一体化されている。
【００３７】
また、液晶表示装置１では、ベゼル４に設けられた矩形状の開口部４ａによって上記表示面１ａが規定されている。すなわち、液晶表示装置１では、開口部４ａを通して視認される、液晶パネル２の表示面が表示面１ａを構成している。
【００３８】
また、液晶パネル２には、液晶層と、この液晶層を狭持する一対の基板としてのカラーフィルタ基板及びアクティブマトリクス基板と、これらカラーフィルタ基板及びアクティブマトリクス基板の各外側表面にそれぞれ設置された偏光板とが設けられている（図示せず。）。そして、液晶パネル２では、液晶層によってバックライト装置３側の偏光板を介して入射された上記照明光の偏光状態が変調され、かつ、開口部４ａ側（表示面１ａ側）の偏光板を通過する光量が制御されることにより、所望画像が表示される。
【００３９】
また、図２において、本実施形態のバックライト装置３には、第１の光源としての発光ダイオード５ａと、第２の光源としての発光ダイオード５ｂとが設けられており、複数の発光ダイオード５ａ及び複数の発光ダイオード５ｂが図２の紙面に垂直な方向で直線状に配置されている（詳細は後述。）。また、バックライト装置３には、発光ダイオード５ａ、５ｂが実装されたＬＥＤ基板（光源基板）としてのフレキシブルプリント基板（ＦＰＣ：Flexible Printed Circuit）６と、発光ダイオードａ、５ｂからの光が入光される導光板７とが設けられている。
【００４０】
フレキシブルプリント基板６には、後に詳述するように、発光ダイオード（第１の光源）５ａが実装された第１の実装面６ａと、発光ダイオード（第２の光源）５ｂが実装された第２の実装面６ｂとが設けられている。
【００４１】
導光板７には、例えば厚さ１．５ｍｍ〜４．０ｍｍ程度で、透明なアクリル樹脂などの合成樹脂または透明なガラス材が用いられている。また、導光板７には、その一つの側面部（図２の右側面部）に光を入光する入光部７ａが設けられている。また、この入光部７ａでは、その入光面（つまり、導光板７の一つの側面）７ａ１に対向するように、互いに独立して光を発光する発光ダイオード５ａ及び５ｂが設けられており、これら発光ダイオード５ａ及び５ｂからの光が入光面７ａ１に入光するようになっている。また、導光板７は、入光面７ａ１から入光した光を被照射物としての液晶パネル２側に発光する発光面７ｂを具備している。
【００４２】
また、導光板７では、液晶パネル２と反対側、つまり発光面７ｂに対向する対向面７ｃ側に、例えば反射シート８が設置されている。そして、この導光板７は、発光ダイオード５ａ及び５ｂからの光を所定の伝搬方向（図２の左右方向）に導きつつ、液晶パネル２に対向する発光面７ｂから、液晶パネル（被照射物）２側に向かって光を出射するようになっている。さらに、導光板７の液晶パネル２側（発光面７ｂ側）には、レンズシートや拡散シートなどの光学シート１１が設けられており、導光板７の内部を上記伝搬方向に導かれた発光ダイオード５からの光が均一な輝度をもつ平面状の上記照明光に変えられて液晶パネル２に与えられる。
【００４３】
また、本実施形態のバックライト装置３には、図２に示すように、液晶パネル２側が開口した有底状の筐体９が設けられており、バックライト装置３は、筐体９によって収容されるようになっている。また、この筐体９には、例えば亜鉛メッキ鋼板やアルミニウムなどの金属材料が用いられており、筐体９には、平板状の底面９ａと、この底面９ａの四辺にそれぞれ立設された４つの側面９ｂとが設けられている。そして、筐体９では、１つの側面９ｂに対して、フレキシブルプリント基板６が、例えば両面テープＴａ及びＴｂを介して取り付けられている。
【００４４】
また、バックライト装置３には、矩形状の開口部が設けられるとともに、筐体９の縁部に取り付けられるＰ（プラスチック）シャーシ１０が設けられている。Ｐシャーシ１０の開口部には、上記光学シート１１が配置されている。
【００４５】
尚、この説明以外に、Ｐシャーシ１０に代えて、例えば金属製のシャーシを用いてもよい。さらに、上記の説明以外に、例えば導光板７とＰシャーシ１０との間に、当該導光板７と同じ大きさの光学シートを配置する構成でもよい。
【００４６】
次に、図３も参照して、本実施形態の液晶パネル２について具体的に説明する。
【００４７】
図３は、図２に示した液晶パネルの構成を説明する図である。
【００４８】
図３において、液晶表示装置１（図２）には、文字や画像等の情報を表示する上記表示部としての液晶パネル２（図２）の駆動制御を行うパネル制御部１２と、このパネル制御部１２からの指示信号を基に動作するソースドライバ１５とゲートドライバ１６とが設けられている。
【００４９】
パネル制御部１２は、液晶表示装置１に設けられた制御装置（図示せず）内に設けられたものであり、液晶表示装置１の外部からの映像信号が入力されるようになっている。また、パネル制御部１２は、入力された映像信号に対して所定の画像処理を行ってソースドライバ１５及びゲートドライバ１６への各指示信号を生成する画像処理部１３と、入力された映像信号に含まれた１フレーム分の表示データを記憶可能なフレームバッファ１４とを備えている。そして、パネル制御部１２が、入力された映像信号に応じて、ソースドライバ１５とゲートドライバ１６の駆動制御を行うことにより、その映像信号に応じた情報が液晶パネル２に表示される。
【００５０】
ソースドライバ１５とゲートドライバ１６は、液晶パネル２に設けられた複数の画素Ｐを画素単位に駆動する駆動回路であり、ソースドライバ１５とゲートドライバ１６には、複数のソース配線Ｓ１〜ＳＭ（Ｍは、２以上の整数、以下、“Ｓ”にて総称する。）及び複数のゲート配線Ｇ１〜ＧＮ（Ｎは、２以上の整数、以下、“Ｇ”にて総称する。）がそれぞれ接続されている。これらのソース配線Ｓ及びゲート配線Ｇは、それぞれデータ配線及び走査配線を構成しており、上記アクティブマトリクス基板に含まれた透明なガラス材または透明な合成樹脂製の基材（図示せず）上で互いに交差するように、マトリクス状に配列されている。すなわち、ソース配線Ｓは、マトリクス状の列方向（液晶パネル２の縦方向）に平行となるように上記基材上に設けられ、ゲート配線Ｇは、マトリクス状の行方向（液晶パネル２の横方向）に平行となるように上記基材上に設けられている。
【００５１】
また、ソースドライバ１５とゲートドライバ１６は、各々複数設けられており、液晶パネル２の横方向及び縦方向に沿って順次配列されている。
【００５２】
ここで、図４を参照して、本実施形態の液晶パネル２での複数のソースドライバ１５及び複数のゲートドライバ１６について具体的に説明する。
【００５３】
図４は、上記液晶パネルに設けられたソースドライバ及びゲートドライバを説明する図である。
【００５４】
また、図４に示すように、複数、例えば８つのソースドライバ１５−１〜１５−８（以下、“１５”にて総称する。）が、８つのフレキシブル回路基板（ＳＯＦ）２０にそれぞれ実装されている。各フレキシブル回路基板２０の一端部側は、有効表示領域Ａの外側で、アクティブマトリクス基板２ｂ上のソース配線Ｓに接続されている。また、各ソースドライバ１５−１〜１５−８には、同じ数のソース配線Ｓ、すなわち（Ｍ／８）本のソース配線Ｓが接続されている。
【００５５】
また、各フレキシブル回路基板２０の他端部側は、２つのプリント回路基板２１のいずれか一方のプリント回路基板２１に接続されている。そして、液晶パネル２では、各ソースドライバ１５−１〜１５−８に対して、液晶パネル２の表示部に表示される情報に応じた指示信号がパネル制御部１２から入力されるようになっている。その後、各ソースドライバ１５−１〜１５−８は、対応するソース配線Ｓに対し、後述のデータ信号を出力する。
【００５６】
また、液晶パネル２では、当該液晶パネル２の左端部側において、複数、例えば４つのゲートドライバ１６−１〜１６−４（以下、“１６”にて総称する。）が、それぞれ設けられている。これらのゲートドライバ１６−１〜１６−４は、各々フレキシブル回路基板（ＳＯＦ）２２にそれぞれ実装されている。各フレキシブル回路基板２２の一端部側は、有効表示領域Ａの外側で、アクティブマトリクス基板２ｂ上のゲート配線Ｇに接続されている。また、各ゲート配線Ｇの左端部がゲートドライバ１６に接続されており、各ゲートドライバ１６−１〜１６−４には、同じ数のゲート配線Ｇ、つまり（Ｎ／４）本のゲート配線Ｇが接続されている。
【００５７】
さらに、各ゲートドライバ１６−１〜１６−４は、対応するフレキシブル回路基板２２とアクティブマトリクス基板２ｂ上に設けられた配線（図示せず）を介して、パネル制御部１２に接続されている。そして、各ゲートドライバ１６−１〜１６−４は、パネル制御部１２からの指示信号を入力して、対応するゲート配線Ｇに対し、後述の走査信号を出力する。
【００５８】
図３に戻って、上記ソース配線Ｓと、ゲート配線Ｇとの交差部の近傍には、スイッチング素子としての薄膜トランジスタ１７と、薄膜トランジスタ１７に接続された画素電極１８を有する上記画素Ｐが設けられている。また、各画素Ｐでは、共通電極１９が液晶パネル２に設けられた上記液晶層を間に挟んだ状態で画素電極１８に対向するよう構成されている。つまり、上記アクティブマトリクス基板では、薄膜トランジスタ１７、画素電極１８、及び共通電極１９が画素単位に設けられている。
【００５９】
また、アクティブマトリクス基板では、ソース配線Ｓと、ゲート配線Ｇとによってマトリクス状に区画された各領域に、複数の各画素Ｐの領域が形成されている。これら複数の画素Ｐには、赤色（Ｒ）、緑色（Ｇ）、及び青色（Ｂ）の画素が含まれている。また、これらのＲＧＢの画素は、例えばこの順番で、各ゲート配線Ｇ１〜ＧＮに平行に順次配設されている。さらに、これらのＲＧＢの画素は、上記カラーフィルタ基板側に設けられたカラーフィルタ層（図示せず）により、対応する色の表示を行えるようになっている。
【００６０】
また、上記アクティブマトリクス基板では、ゲートドライバ１６は、画像処理部１３からの指示信号に基づいて、ゲート配線Ｇ１〜ＧＮに対して、対応する薄膜トランジスタ１７のゲート電極をオン状態にする走査信号（ゲート信号）を順次出力する。また、ソースドライバ１５は、画像処理部１３からの指示信号に基づいて、表示画像の輝度（階調）に応じたデータ信号（電圧信号（階調電圧））を対応するソース配線Ｓ１〜ＳＭに出力する。
【００６１】
次に、図５乃至図７も参照して、本実施形態のバックライト装置３の要部構成について具体的に説明する。
【００６２】
図５は、図２に示したバックライト装置の要部構成を説明する図であり、図５（ａ）は、フレキシブルプリント基板とこのフレキシブルプリント基板に実装された発光ダイオードを示す平面図であり、図５（ｂ）は、折り曲げられた状態のフレキシブルプリント基板と発光ダイオードを示す側面図である。図６は、上記発光ダイオードの回路構成の一例を示す回路図である。図７は、上記発光ダイオードの回路構成の別の例を示す回路図である。
【００６３】
図５（ａ）に示すように、本実施形態のフレキシブルプリント基板６には、複数、例えば６個の発光ダイオード５ａが導光板７の入光部７ａ（図２）の一端部側から他端部側への方向（図２の紙面に垂直な方向）で直線状に配置されている。また、フレキシブルプリント基板６には、複数、例えば６個の発光ダイオード５ｂが導光板７の入光部７ａ（図２）の一端部側から他端部側への方向（図２の紙面に垂直な方向）で直線状に配置されている。これらの発光ダイオード５ａ及び５ｂは、上述したように、フレキシブルプリント基板６の第１の実装面６ａ及び第２の実装面６ｂにそれぞれ実装されている。
【００６４】
また、これらの発光ダイオード５ａ及び５ｂは、図５（ａ）に例示するように、上記方向と垂直な方向（フレキシブルプリント基板６の長手方向と垂直な方向）で同じ位置にフレキシブルプリント基板６に取り付けられている。すなわち、これらの発光ダイオード５ａ及び５ｂでは、各々同じピッチ寸法でフレキシブルプリント基板６上に設けられている。
【００６５】
また、フレキシブルプリント基板６では、各発光ダイオード５ａと各発光ダイオード５ｂとの間にミシン目６ｃが設けられており、フレキシブルプリント基板６は、図５（ｂ）に示すように、第１の実装面６ａ及び第２の実装面６ｂが互いに直交するように、折り曲げられた状態で、上記側面９ｂ（図２）に取り付けられて使用されるように構成されている。
【００６６】
すなわち、フレキシブルプリント基板６では、第１の実装面６ａと第２の実装面６ｂとは、ミシン目６ｃを境界として、当該フレキシブルプリント基板６の一つの表面上に構成されている。また、これらの第１の実装面６ａと第２の実装面６ｂとは、互いに異なる方向に対向するように設けられ、かつ、連続的に構成されている。
【００６７】
また、発光ダイオード５ａには、その発光面５ａ１が第１の実装面６ａと平行となるように設けられたトップビュータイプのものが用いられている。一方、発光ダイオード５ｂには、その発光面５ｂ１が第２の実装面６ｂと直交するように設けられたサイドビュータイプのものが用いられている。そして、これらの発光ダイオード５ａ及び５ｂは、図２に示したように、発光面５ａ１及び５ｂ１が入光面７ａ１に対向して、当該入光面７ａ１から導光板７の内部側に光を入光させる。
【００６８】
また、発光ダイオード５ａ及び５ｂが互いに仕様が異なる場合、例えば定格電流値が異なる場合、図６に例示するように、発光ダイオード５ａ及び５ｂでは、互いに独立した駆動回路によって点灯駆動を行うようになっている。
【００６９】
つまり、図６に示すように、６個の発光ダイオード５ａが直列に接続されており、さらに発光ダイオード５ａのアノード及びカソードがそれぞれ電源Ｖの第１のアノード電極Ｖａ１及び第１のカソード電極Ｖｋ１に接続されている。
【００７０】
一方、６個の発光ダイオード５ｂが、発光ダイオード５ａとは別個に直列に接続されており、さらに発光ダイオード５ｂのアノード及びカソードがそれぞれ電源Ｖの第２のアノード電極Ｖａ２及び第２のカソード電極Ｖｋ２に接続されている。
【００７１】
また、発光ダイオード５ａ及び５ｂが同じ定格電流値のものである場合、図７に示すように、これらの発光ダイオード５ａ及び５ｂを並列的に接続して点灯駆動を行わせてもよい。すなわち、図７に示すように、６個の発光ダイオード５ａ及び６個の発光ダイオード５ｂが各々直列に接続されている。また、発光ダイオード５ａのカソード及び発光ダイオード５ｂのカソードは、それぞれ電源Ｖの第１のカソード電極Ｖｋ１及び第２のカソード電極Ｖｋ２に接続され、発光ダイオード５ａのアノード及び発光ダイオード５ｂのアノードはともに電源Ｖのアノード電極Ｖａに接続されている。
【００７２】
以上のように構成された本実施形態のバックライト装置３では、導光板７の一つの側面部に形成された入光部７ａに対して、互いに独立して光を発光する発光ダイオード（第１の光源）５ａ及び発光ダイオード（第２の光源）５ｂが設けられている。また、これらの発光ダイオード５ａ及び５ｂは、それぞれ第１の実装面６ａ及び第２の実装面６ｂに実装されている。また、これら第１の実装面６ａ及び第２の実装面６ｂは、互いに異なる方向に対向するように設けられ、かつ、連続的に構成されている。これにより、本実施形態では、上記従来例と異なり、高輝度化を図った場合でも、構造が複雑で大型化するのを抑制することができるバックライト装置３を構成することができる。
【００７３】
すなわち、図２及び図５（ａ）に例示したように、本実施形態のバックライト装置３では、構造が複雑で大型化するのを抑制しつつ、導光板７の一つの側面部（入光部７ａ）に対して、従来例の２倍の１２個の発光ダイオードを対向して、光を入光することができ、高輝度化を図ることができる。
【００７４】
また、本実施形態では、高輝度化を図った場合でも、構造が複雑で大型化するのを抑制することができるバックライト装置３が用いられているので、構造簡単でコンパクト化された高輝度な液晶表示装置（表示装置）１及びテレビ受信装置Ｔｖを容易に構成することができる。
【００７５】
［第２の実施形態］
図８は、本発明の第２の実施形態にかかる液晶表示装置の要部構成を説明する図である。
【００７６】
図において、本実施形態と上記第１の実施形態との主な相違点は、発光ダイオード（第１の光源）からの光を入光する第１の入光面と、この第１の入光面とは異なる位置に設けられるとともに、発光ダイオード（第２の光源）からの光を入光する第２の入光面とを、導光板の入光部に設けた点である。なお、上記第１の実施形態と共通する要素については、同じ符号を付して、その重複した説明を省略する。
【００７７】
つまり、図８に示すように、本実施形態のバックライト装置３では、導光板７’が設けられている。この導光板７’は、一つの側面部に形成されるとともに、光を入光する入光部７ａ’と、この入光部７ａ’から入光した光を液晶パネル（被照射物）２側に発光する発光面７ｂ’と、この発光面７ｂ’に対向する対向面７ｃ’を備えている。
【００７８】
また、入光部７ａ’には、発光ダイオード（第１の光源）５ａからの光を入光する第１の入光面７ａ１’と、この第１の入光面７ａ１’とは異なる位置に設けられるとともに、発光ダイオード（第２の光源）５ｂからの光を入光する第２の入光面７ａ２’とが設けられている。すなわち、入光部７ａ’には、図８に示すように、段差状に構成された第１の入光面７ａ１’及び第２の入光面７ａ２’が形成されており、これらの第１の入光面７ａ１’及び第２の入光面７ａ２’は、それぞれ発光ダイオード５ａの発光面５ａ１及び発光ダイオード５ｂの発光面５ｂ１に対向して、光を入光するようになっている。
【００７９】
以上の構成により、本実施形態では、上記第１の実施形態と同様な作用・効果を奏することができる。また、本実施形態では、導光板７’の入光部７ａ’には、発光ダイオード（第１の光源）５ａからの光を入光する第１の入光面７ａ１’と、この第１の入光面７ａ１’とは異なる位置に設けられるとともに、発光ダイオード（第２の光源）５ｂからの光を入光する第２の入光面７ａ２’とが設けられている。これにより、本実施形態では、導光板７’の入光部７ａ’において、発光ダイオード５ａ及び５ｂからの各光を効率よく入光させることができ、高輝度化を容易に図ることができる。
【００８０】
また、本実施形態では、図８に示したように、第１の入光面７ａ１’及び第２の入光面７ａ２’が段差状に構成されて、発光ダイオード５ａの発光面５ａ１及び発光ダイオード５ｂの発光面５ｂ１にそれぞれ対向配置されているので、第１の実施形態のものと異なり、導光板７’と発光ダイオード５ａ及び５ｂを実装したフレキシブルプリント基板６をコンパクトに組み付けることができ、バックライト装置３の小型化を容易に図ることができる。
【００８１】
［第３の実施形態］
図９は、本発明の第３の実施形態にかかる液晶表示装置の要部構成を説明する図である。図１０は、図９に示したバックライト装置の要部構成を説明する図であり、図１０（ａ）は、フレキシブルプリント基板とこのフレキシブルプリント基板に実装された発光ダイオードを示す平面図であり、図１０（ｂ）は、折り曲げられた状態のフレキシブルプリント基板と発光ダイオードを示す側面図である。
【００８２】
図において、本実施形態と上記第２の実施形態との主な相違点は、導光板の入光部の中央部のみに対して、光を発光するように、発光ダイオード（第２の光源）を設けた点である。なお、上記第２の実施形態と共通する要素については、同じ符号を付して、その重複した説明を省略する。
【００８３】
すなわち、図９及び図１０に示すように、本実施形態のバックライト装置３では、導光板７’の入光部７ａ’に設けられた第１の入光面７ａ１’に対して、発光ダイオード（第１の光源）５ａの発光面５ａ１が対向して配置されている。また、導光板７’の入光部７ａ’に設けられた第２の入光面７ａ２’に対して、第２の光源としての発光ダイオード５ｃの発光面５ｃ１が対向して配置されている。
【００８４】
また、図１０（ａ）に示すように、本実施形態のフレキシブルプリント基板６には、複数、例えば６個の発光ダイオード５ａが導光板７’の入光部７ａ’（図９）の一端部側から他端部側への方向（図９の紙面に垂直な方向）で直線状に配置されている。また、フレキシブルプリント基板６には、複数、例えば４個の発光ダイオード５ｃが導光板７’の入光部７ａ’（図９）の一端部側から他端部側への方向（図９の紙面に垂直な方向）で直線状に配置されている。これらの発光ダイオード５ａ及び５ｃは、フレキシブルプリント基板６の第１の実装面６ａ及び第２の実装面６ｂにそれぞれ実装されている。
【００８５】
また、これらの発光ダイオード５ａ及び５ｃは、図１０（ａ）に示すように、上記方向と垂直な方向（フレキシブルプリント基板６の長手方向と垂直な方向）で同じ位置にフレキシブルプリント基板６に取り付けられている。さらに、発光ダイオード５ｃは、導光板７’の入光部７ａ’の中央部のみに対して、光を発光するように、フレキシブルプリント基板６の第２の実装面６ｂに実装されている。
【００８６】
つまり、４個の発光ダイオード５ｃは、図１０（ａ）の左右方向において、フレキシブルプリント基板６の中央部にのみ配置されている。また、これらの各発光ダイオード５ｃには、第２の実施形態のものと同様に、その発光面５ｃ１が第２の実装面６ｂと直交するように設けられたサイドビュータイプのものが用いられている。
【００８７】
以上の構成により、本実施形態では、上記第２の実施形態と同様な作用・効果を奏することができる。また、本実施形態では、発光ダイオード（第２の光源）５ｃは、導光板７’の入光部７ａ’の中央部のみに対して、光を発光するように、設けられているので、バックライト装置３の正面輝度（つまり、バックライト装置３の発光面の中心輝度）を確実に向上させることができる。
【００８８】
尚、上記の説明以外に、例えば発光ダイオード（第２の光源）５ｃのピッチ寸法を、発光ダイオード（第１の光源）５ａのピッチ寸法よりも小さくすることにより、バックライト装置３の正面輝度を確実に向上させてもよい。
【００８９】
［第４の実施形態］
図１１は、本発明の第４の実施形態にかかる液晶表示装置の要部構成を説明する図である。図１２は、図１１に示したバックライト装置の要部構成を説明する図であり、図１２（ａ）は、フレキシブルプリント基板とこのフレキシブルプリント基板に実装された発光ダイオードを示す平面図であり、図１２（ｂ）は、折り曲げられた状態のフレキシブルプリント基板と発光ダイオードを示す側面図である。
【００９０】
図において、本実施形態と上記第２の実施形態との主な相違点は、導光板の入光部の両端部のみに対して、光を発光するように、発光ダイオード（第２の光源）を設けた点である。なお、上記第２の実施形態と共通する要素については、同じ符号を付して、その重複した説明を省略する。
【００９１】
つまり、図１１及び図１２に示すように、本実施形態のバックライト装置３では、導光板７’の入光部７ａ’に設けられた第１の入光面７ａ１’に対して、発光ダイオード（第１の光源）５ａの発光面５ａ１が対向して配置されている。また、導光板７’の入光部７ａ’に設けられた第２の入光面７ａ２’に対して、第２の光源としての発光ダイオード５ｄの発光面５ｄ１が対向して配置されている。
【００９２】
また、図１２（ａ）に示すように、本実施形態のフレキシブルプリント基板６には、複数、例えば６個の発光ダイオード５ａが導光板７’の入光部７ａ’（図１１）の一端部側から他端部側への方向（図１１の紙面に垂直な方向）で直線状に配置されている。また、フレキシブルプリント基板６には、複数、例えば２個ずつ、合計４個の発光ダイオード５ｄが導光板７’の入光部７ａ’（図１１）の一端部側から他端部側への方向（図１１の紙面に垂直な方向）で直線状に配置されている。これらの発光ダイオード５ａ及び５ｄは、フレキシブルプリント基板６の第１の実装面６ａ及び第２の実装面６ｂにそれぞれ実装されている。
【００９３】
また、これらの発光ダイオード５ａ及び５ｄは、図１２（ａ）に示すように、上記方向と垂直な方向（フレキシブルプリント基板６の長手方向と垂直な方向）で同じ位置にフレキシブルプリント基板６に取り付けられている。さらに、発光ダイオード５ｄは、導光板７’の入光部７ａ’の両端部のみに対して、光を発光するように、フレキシブルプリント基板６の第２の実装面６ｂに実装されている。
【００９４】
つまり、２個の発光ダイオード５ｄは、図１２（ａ）の左右方向において、フレキシブルプリント基板６の左右の各端部にのみ配置されている。また、これらの各発光ダイオード５ｄには、第２の実施形態のものと同様に、その発光面５ｄ１が第２の実装面６ｂと直交するように設けられたサイドビュータイプのものが用いられている。
【００９５】
以上の構成により、本実施形態では、上記第２の実施形態と同様な作用・効果を奏することができる。また、本実施形態では、発光ダイオード（第２の光源）５ｄは、導光板７’の入光部７ａ’の両端部のみに対して、光を発光するように、設けられているので、バックライト装置３の輝度分布を確実に改善させることができる。
【００９６】
尚、上記の説明以外に、例えば発光ダイオード（第２の光源）５ｄのピッチ寸法を、発光ダイオード（第１の光源）５ａのピッチ寸法よりも小さくすることにより、バックライト装置３の輝度分布を確実に改善させてもよい。
【００９７】
［第５の実施形態］
図１３は、本発明の第５の実施形態にかかる液晶表示装置の要部構成を説明する図である。図１４は、図１３に示したバックライト装置の要部構成を説明する図であり、図１４（ａ）は、フレキシブルプリント基板とこのフレキシブルプリント基板に実装された発光ダイオードを示す平面図であり、図１４（ｂ）は、折り曲げられた状態のフレキシブルプリント基板と発光ダイオードを示す側面図である。
【００９８】
図において、本実施形態と上記第２の実施形態との主な相違点は、互いに異なる色度を有する光を発光する発光ダイオード（第１の光源）及び発光ダイオード（第２の光源）を用いた点である。なお、上記第２の実施形態と共通する要素については、同じ符号を付して、その重複した説明を省略する。
【００９９】
つまり、図１３及び図１４に示すように、本実施形態のバックライト装置３では、導光板７’の入光部７ａ’に設けられた第１の入光面７ａ１’に対して、発光ダイオード（第１の光源）５ａの発光面５ａ１が対向して配置されている。また、導光板７’の入光部７ａ’に設けられた第２の入光面７ａ２’に対して、第２の光源としての発光ダイオード５ｅの発光面５ｅ１が対向して配置されている。
【０１００】
また、図１４（ａ）に示すように、本実施形態のフレキシブルプリント基板６には、複数、例えば６個の発光ダイオード５ａが導光板７’の入光部７ａ’（図１３）の一端部側から他端部側への方向（図１３の紙面に垂直な方向）で直線状に配置されている。また、フレキシブルプリント基板６には、複数、例えば６個の発光ダイオード５ｅが導光板７’の入光部７ａ’（図１３）の一端部側から他端部側への方向（図１３の紙面に垂直な方向）で直線状に配置されている。これらの発光ダイオード５ａ及び５ｅは、フレキシブルプリント基板６の第１の実装面６ａ及び第２の実装面６ｂにそれぞれ実装されている。
【０１０１】
また、これらの発光ダイオード５ａ及び５ｅは、図１４（ａ）に示すように、上記方向と垂直な方向（フレキシブルプリント基板６の長手方向と垂直な方向）で同じ位置にフレキシブルプリント基板６に取り付けられている。
【０１０２】
また、これらの各発光ダイオード５ｅには、第２の実施形態のものと同様に、その発光面５ｅ１が第２の実装面６ｂと直交するように設けられたサイドビュータイプのものが用いられている。
【０１０３】
さらに、発光ダイオード５ａと、発光ダイオード５ｅとでは、上述の各実施形態のものと異なり、互いに異なる色度を有するものが用いられている。具体的にいえば、発光ダイオード５ａと、発光ダイオード５ｅとでは、例えばＣＩＥ表色系における色度ｘ及びｙの値が、各々±０．０１の範囲内の値のものが用いられている。
【０１０４】
以上の構成により、本実施形態では、上記第２の実施形態と同様な作用・効果を奏することができる。また、本実施形態では、発光ダイオード（第１の光源）５ａと、発光ダイオード（第２の光源）５ｅとでは、互いに異なる色度を有する光を発光しているので、広範囲な色度調整を容易に行うことができる。
【０１０５】
［第６の実施形態］
図１５は、本発明の第６の実施形態にかかる液晶表示装置の要部構成を説明する図である。図１６は、図１５に示したバックライト装置の要部構成を説明する図であり、図１６（ａ）は、フレキシブルプリント基板とこのフレキシブルプリント基板に実装された発光ダイオードを示す平面図であり、図１６（ｂ）は、折り曲げられた状態のフレキシブルプリント基板と発光ダイオードを示す側面図である。
【０１０６】
図において、本実施形態と上記第２の実施形態との主な相違点は、第１の実装面において、導光板の入光部の一端部側から他端部側への方向で複数の発光ダイオード（第１の光源）を直線状に配置するとともに、第２の実装面において、上記方向で複数の発光ダイオード（第２の光源）を直線状に配置し、かつ、この発光ダイオードが上記方向で第１の実装面上の発光ダイオードと交互となるように配置した点である。なお、上記第２の実施形態と共通する要素については、同じ符号を付して、その重複した説明を省略する。
【０１０７】
つまり、図１５及び図１６に示すように、本実施形態のバックライト装置３では、導光板７’の入光部７ａ’に設けられた第１の入光面７ａ１’及び第２の入光面７ａ２’に対して、発光ダイオード（第１の光源）５ａの発光面５ａ１が対向して配置されている。また、導光板７’の入光部７ａ’に設けられた第２の入光面７ａ２’に対して、第２の光源としての発光ダイオード５ｆの発光面５ｆ１が対向して配置されている。
【０１０８】
また、図１６（ａ）に示すように、本実施形態のフレキシブルプリント基板６には、複数、例えば３個の発光ダイオード５ａが導光板７’の入光部７ａ’（図１５）の一端部側から他端部側への方向（図１５の紙面に垂直な方向）で直線状に配置されている。また、フレキシブルプリント基板６には、複数、例えば３個の発光ダイオード５ｆが導光板７’の入光部７ａ’（図１５）の一端部側から他端部側への方向（図１５の紙面に垂直な方向）で直線状に配置されている。これらの発光ダイオード５ａ及び５ｆは、フレキシブルプリント基板６の第１の実装面６ａ及び第２の実装面６ｂにそれぞれ実装されている。
【０１０９】
また、これらの発光ダイオード５ａ及び５ｆは、図１６（ａ）に示すように、上記方向と垂直な方向（フレキシブルプリント基板６の長手方向と垂直な方向）で異なる位置にフレキシブルプリント基板６に取り付けられている。すなわち、本実施形態のフレキシブルプリント基板６では、第１の実装面６ａにおいて、複数の発光ダイオード５ａが導光板７’の入光部７ａ’の一端部側から他端部側への方向で直線状に配置されている。さらに、第２の実装面６ｂにおいて、複数の発光ダイオード５ｆが上記方向で直線状に配置されるとともに、当該発光ダイオード５ｆが上記方向で発光ダイオード５ａと交互となるように配置されている。これにより、本実施形態では、ミシン目６ｃに沿って、フレキシブルプリント基板６を折り曲げたときに、発光ダイオード５ａと発光ダイオード５ｆとが接触することなく、隣接する２つの発光ダイオード５ｆの間に、発光ダイオード５ａを配置することが可能となる。この結果、図１６（ｂ）に示すように、フレキシブルプリント基板６を折り曲げたときに、当該フレキシブルプリント基板６での同図１６（ｂ）の縦方向の寸法を小さくすることができ、導光板７’の薄型化、ひいてはバックライト装置３の薄型化に容易に対応することができる。
【０１１０】
また、これらの各発光ダイオード５ｆには、第２の実施形態のものと同様に、その発光面５ｆ１が第２の実装面６ｂと直交するように設けられたサイドビュータイプのものが用いられている。
【０１１１】
以上の構成により、本実施形態では、上記第２の実施形態と同様な作用・効果を奏することができる。また、本実施形態では、第１の実装面６ａにおいて、複数の発光ダイオード（第１の光源）５ａが導光板７’の入光部７ａ’の一端部側から他端部側への方向で直線状に配置され、第２の実装面６ｂにおいて、複数の発光ダイオード（第２の光源）５ｆが上記方向で直線状に配置されるとともに、発光ダイオード５ｆが上記方向で発光ダイオード５ａと交互となるように配置されている。これにより、本実施形態では、第１の実装面６ａ及び第２の実装面６ｂを互いに直交するように構成したときでも、発光ダイオード５ａ及び５ｆが互いに接触するのを防ぐことが可能となり、入光部７ａ’と平行な方向における、フレキシブルプリント基板６の寸法、つまり第１の実装面６ａ及び第２の実装面６ｂの寸法を小さくすることができる。
【０１１２】
また、本実施形態では、第２の入光面７ａ２’に対して、発光ダイオード５ａ及び５ｆからの光が入光するように構成されているので、バックライト装置３の高輝度化を容易に図ることができる。
【０１１３】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【０１１４】
例えば、上記の説明では、本発明を透過型の液晶表示装置に適用した場合について説明したが、本発明のバックライト装置はこれに限定されるものではなく、半透過型の液晶表示装置、あるいは液晶パネルをライトバルブに用いた投写型表示装置などの各種表示装置に適用することができる。
【０１１５】
また、上記の説明以外に、本発明は、レントゲン写真に光を照射するシャウカステンあるいは写真ネガ等に光を照射して視認をし易くするためのライトボックスや、看板や駅構内の壁面などに設置される広告等をライトアップする発光装置のバックライト装置として好適に用いることができる。
【０１１６】
また、上記の説明では、一つのフレキシブルプリント基板に第１の実装面及び第２の実装面を形成するとともに、これら第１の実装面及び第２の実装面が互いに直交するように、フレキシブルプリント基板を折り曲げたものを用いた構成について説明した。しかしながら、本発明は、互いに独立して光を発光する第１の光源及び第２の光源と、これら第１の光源及び第２の光源がそれぞれ実装された第１の実装面及び第２の実装面を有し、これら第１の実装面及び前記第２の実装面は、互いに異なる方向に対向するように設けられ、かつ、連続的に構成されているものであれば何等限定されない。例えば第１の実装面に第１の光源を実装した第１のプリント回路基板と、第２の実装面に第２の光源を実装した第２のプリント回路基板とを設けるとともに、この第１のプリント回路基板の第１の実装面と第２のプリント回路基板の第２の実装面とが、例えば９０度以上の角度となるように、これら第１の実装面と第２の実装面とを連続的に接続してもよい。
【０１１７】
但し、上記の各実施形態のように、第１の実装面及び第２の実装面が互いに直交するように構成されている場合の方が、バックライト装置のコンパクト化を容易に図ることができる点で好ましい。
【０１１８】
また、上記の各実施形態のように、一つのフレキシブルプリント基板を用いた場合の方が、第１の実装面及び第２の実装面を容易に構成することができ、構造簡単なバックライト装置をも容易に構成することができる点でも好ましい。
【０１１９】
また、上記の説明では、第１の光源及び第２の光源として白色の発光ダイオードを用いた場合について説明したが、本発明の第１の光源及び第２の光源はこれに限定されるものではなく、例えば冷陰極蛍光管や熱陰極蛍光管等の放電管、電球などのランプ、あるいは有機ＥＬ（Electronic Luminescence）や無機ＥＬ素子等の発光素子を第１の光源及び／または第２の光源に使用することもできる。
【０１２０】
但し、上記の各実施形態のように、第１の光源及び第２の光源に発光ダイオードを使用する場合の方が、消費電力が少なく、優れた環境性をもつバックライト装置を容易に構成することができる点で好ましい。
【０１２１】
また、上記の説明では、第１の光源として、トップビュータイプの発光ダイオードを用いるとともに、第２の光源として、サイドビュータイプの発光ダイオードを用いた構成について説明したが、本発明はこれに限定されるものではなく、第１の光源として、サイドビュータイプの発光ダイオードを用いるとともに、第２の光源として、トップビュータイプの発光ダイオードを用いてもよい。
【０１２２】
また、本発明の発光ダイオードは上記白色の発光ダイオードに限定されるものではなく、例えばＲＧＢの発光ダイオードを一体化した、いわゆる３ｉｎ１タイプの発光ダイオードや、ＲＧＢＷや、ＧＲＧＢなど４つの発光ダイオードを一体化した、いわゆるフォーインワン（４ｉｎ１）タイプの発光ダイオードや、Ｒ、Ｇ、Ｂそれぞれ単色個別の発光ダイオードを用いることもできる。
【０１２３】
また、上記の説明以外に、上記第１〜第６の各実施形態を適宜組み合わせたものでよい。
【産業上の利用可能性】
【０１２４】
本発明は、高輝度化を図った場合でも、構造が複雑で大型化するのを抑制することができるバックライト装置、及びこれを用いた表示装置、並びにテレビ受信装置に対して有用である。
【符号の説明】
【０１２５】
１  液晶表示装置（表示装置）
３  バックライト装置
５ａ  （トップビュータイプの）発光ダイオード（第１の光源）
５ａ１  発光面
５ｂ、５ｃ、５ｄ、５ｅ、５ｆ  （サイドビュータイプの）発光ダイオード（第２の光源）
５ｂ１、５ｃ１、５ｄ１、５ｅ１、５ｆ１  発光面
６  フレキシブルプリント基板（ＬＥＤ基板）
６ａ  第１の実装面
６ｂ  第２の実装面
７、７’  導光板
７ａ、７ａ’  入光部
７ａ１  入光面
７ａ１’  第１の入光面
７ａ２’  第２の入光面
Ｔｖ  テレビ受信装置
【図１】
2013218922.tif 000003
【図２】
2013218922.tif 000004
【図３】
2013218922.tif 000005
【図４】
2013218922.tif 000006
【図５】
2013218922.tif 000007
【図６】
2013218922.tif 000008
【図７】
2013218922.tif 000009
【図８】
2013218922.tif 000010
【図９】
2013218922.tif 000011
【図１０】
2013218922.tif 000012
【図１１】
2013218922.tif 000013
【図１２】
2013218922.tif 000014
【図１３】
2013218922.tif 000015
【図１４】
2013218922.tif 000016
【図１５】
2013218922.tif 000017
【図１６】
2013218922.tif 000018